(57)【特許請求の範囲】
【請求項１】
内容物を含む送付体を作成する方法において、
前記内容物を収容すべき封筒の展開状態において、その両端部およびフラップ部に剥離容易な接着のための接着層を形成する工程と、
前記封筒の展開状態においてその内側面に所要の情報を印刷する工程と、
前記フラップ部の内側面に前記内容物の識別のためのＩＤ情報を印刷する工程と、
前記接着層を介して前記両端部を接着する工程と、
前記両端部が接着された封筒の中に前記内容物を収容する工程と、
前記内容物の収容に際して、前記ＩＤ情報に基づいて前記封筒と前記内容物とのマッチングを行う工程と、
前記接着層を介して前記フラップ部を接着する工程とを含むことを特徴とする送付体の作成方法。
【請求項２】
前記両端部に剥離困難な接着のための接着部を局所的に形成する工程をさらに含むことを特徴とする請求項１に記載の作成方法。
【請求項３】
前記剥離容易な接着のための接着層は、所定の圧力を付与することにより接着する特性を有する感圧擬似接着層であることを特徴とする請求項１または２に記載の作成方法。
【発明の詳細な説明】
【０００１】
【発明の属する技術分野】
本発明は、内容物を含む送付体の作成方法に関するものである。
【０００２】
【従来の技術】
図４は、従来技術において内容物を含む送付体を作成する方法を説明する図である。従来、内容物を含む送付体の作成に際して、封筒４０のフラップ部４０ａに糊剤を予め塗布して乾燥させる。封入封緘工程においては、この封筒４０に内容物４１を封入し、フラップ部４０ａに予め塗布された糊部分に刷毛４２等を用いて水を塗布する。その後、この糊部分に粘性（接着性）が蘇った時点でフラップ部４０ａを折り畳んで、たとえば押えローラ４３の作用により軽く押圧することにより封入封緘工程を終了する。
【０００３】
【発明が解決しようとする課題】
しかしながら、従来技術では、フラップ部の糊部分に塗布する水の量を適切に管理することが非常に困難であり、この塗布水量の調整にかなり時間が掛かるという不都合があった。また、この塗布水量が不適当である場合には、封緘が良好になされないという不都合あった。
【０００４】
さらに、製造ラインが何らかの不具合等で一定時間停止し、復旧後に製造を再開した場合、水を塗布したフラップ部が再び乾燥してしまい、封緘が十分に行われずにフラップ部の口が開いてしまうことが多い。この場合、これを防止するために、オペレーターは装置が停止する度に、水は塗布されたが未だフラップ部が閉じられていない製品を手作業で封緘する必要があり、非常に手間が掛かるという不都合があった。
【０００５】
また、エンドユーザーの封筒開封作業を容易にするために、封筒のフラップ部およびその近くに、もぎり用のミシン目加工を施す方法がある。しかしながら、この方法では、封筒の作成工程においてもぎり用のミシン目加工を施す必要があり、製造単価を上昇させる要因になるという不都合があった。
【０００６】
本発明は、前述の課題に鑑みてなされたものであり、簡素な構成にもかかわらず、容易に開封することができ、迅速に且つ確実に封緘することのできる、内容物を含む送付体の作成方法を提供することを目的とする。
【０００７】
【課題を解決するための手段】
前記課題を解決するために、本発明では、内容物を含む送付体を作成する方法において、前記内容物を収容すべき封筒の展開状態において、その両端部およびフラップ部に剥離容易な接着のための接着層を形成する工程と、前記封筒の展開状態においてその内側面に所要の情報を印刷する工程と、前記フラップ部の内側面に前記内容物の識別のためのＩＤ情報を印刷する工程と、前記接着層を介して前記両端部を接着する工程と、前記両端部が接着された封筒の中に前記内容物を収容する工程と、前記内容物の収容に際して、前記ＩＤ情報に基づいて前記封筒と前記内容物とのマッチングを行う工程と、前記接着層を介して前記フラップ部を接着する工程とを含むことを特徴とする送付体の作成方法を提供する。
【０００８】
本発明の好ましい態様によれば、前記両端部に剥離困難な接着のための接着部を局所的に形成する工程をさらに含む。
【０００９】
さらに、前記剥離容易な接着のための接着層は、所定の圧力を付与することにより接着する特性を有する感圧擬似接着層であることが好ましい。
【００１０】
【発明の実施の形態】
本発明の典型的な形態では、内容物を収容すべき封筒のフラップ部に、たとえば所定の圧力を付与することにより接着する特性を有する感圧擬似接着層のような剥離容易な接着のための接着層を形成する。そして、感圧擬似接着層が形成された封筒の中に内容物を収容（封入）し、所定の圧力を付与することにより接着層を介してフラップ部を接着する。
【００１１】
こうして作成された内容物を含む送付体では、ハサミやカッターを使用することなく、すなわち封筒を破壊することなく、そのフラップ部を剥がして容易に且つきれいに開封をすることができる。そして、一旦開封すると、フラップ部を再接着（ひいては再封緘）することは実質的に不可能であり、セキュリティーの観点からも有利である。
【００１２】
また、フラップ部の糊部分に適量の水を塗布する従来技術とは異なり、所定の圧力を付与することにより感圧擬似接着層を介してフラップ部を接着するので、装置の停止があっても封緘の成功率が低下することなく、接着に関わる調整も全く不要である。以上のように、本発明による送付体の作成方法では、簡素な構成にもかかわらず、容易に開封することができ、迅速に且つ確実に封緘することができる。
【００１３】
本発明の実施形態を、添付図面に基づいて説明する。
図１は、本発明の第１実施形態にかかる内容物を含む送付体の作成方法を説明する図である。第１実施形態の作成方法では、図１に示すように、内容物２を収容すべき封筒１のフラップ部１ａに剥離容易な接着のための接着層１ｂを予め形成する。ここで、剥離容易な接着のための接着層１ｂとして、たとえば所定の圧力を付与することにより接着する特性を有する感圧擬似接着層を用いることができる。この場合、フラップ部１ａに対応する領域にも、感圧擬似接着層１ｂを形成することが好ましい。
【００１４】
次いで、接着層１ｂが予め形成された封筒１の中に内容物２を収容（封入）し、フラップ部１ａを折り畳んで、たとえば加圧ロールユニット３の作用によりフラップ部１ａに対応する領域を所定の圧力で押圧することにより封入封緘工程を終了する。なお、感圧擬似接着層（感圧性接着剤）および加圧ロールユニット（圧着ローラ）の詳細については、たとえば特許第２６８３６２９号公報、特許第２６７８２３４号公報などを参照することができる。
【００１５】
こうして第１実施形態にしたがって作成された送付体（１，２）では、ハサミやカッターを使用することなく、すなわち封筒１を破壊することなく、そのフラップ部１ａを剥がして容易に且つきれいに開封をすることができる。そして、一旦開封すると、フラップ部１ａを再接着（ひいては再封緘）することは実質的に不可能であり、セキュリティーの観点からも有利である。
【００１６】
また、フラップ部の糊部分に適量の水を塗布する従来技術とは異なり、所定の圧力を付与することにより感圧擬似接着層１ｂを介してフラップ部１ａを接着するので、装置の停止があっても封緘の成功率が低下することなく、接着に関わる調整も全く不要である。以上のように、第１実施形態による送付体（１，２）の作成方法では、簡素な構成にもかかわらず、容易に開封することができ、迅速に且つ確実に封緘することができる。
【００１７】
図２は、本発明の第２実施形態にかかる内容物を含む送付体の作成方法を説明する図であって、接着層の形成から内容物の封入までの手順を示している。また、図３は、本発明の第２実施形態にかかる内容物を含む送付体の作成方法および開封方法を説明する図であって、封筒の封緘からその開封までの手順を示している。第２実施形態は第１実施形態と類似であるが、封筒の展開状態において感圧擬似接着層を形成する点が第１実施形態と相違している。以下、第１実施形態との相違点に着目して、第２実施形態を説明する。
【００１８】
図２を参照すると、第２実施形態では、封筒１１の展開状態においてその両端部１１ａに剥離容易な接着のための接着層１１ｂを予め形成する。また、第１実施形態と同様に、封筒１１のフラップ部１１ｃに剥離容易な接着のための接着層１１ｄを予め形成する。なお、第２実施形態においても第１実施形態と同様に、剥離容易な接着のための接着層１１ｂおよび１１ｄとして感圧擬似接着層を用いることができる。この場合、フラップ部１１ｃに対応する領域にも感圧擬似接着層１１ｄを形成することが好ましい点は第１実施形態と同様である。
【００１９】
さらに、第２実施形態では、封筒１１の両端部１１ａに剥離困難な接着のための接着部（強い接着性を有する強接着部）１１ｅを局所的に形成する。また、封筒１１の展開状態においてその内側面に所要の情報１１ｆを印刷するとともに、封筒１１のフラップ部１１ｃに、内容物２の可変データ識別用のバーコード（ＩＤ情報）１１ｇを印刷する。なお、感圧擬似接着層１１ｂを封筒１１の両端部１１ａの全体に亘って形成することなく、封筒１１の剥がし口として感圧擬似接着層１１ｂの形成されていない領域をその両側に残すことが好ましい。
【００２０】
第２実施形態では、展開状態にある封筒１１を折り畳み線１１ｈに沿って折り畳み、たとえば加圧ロールユニットを介して両端部１１ａに対応する領域に所定の圧力を付与することにより、フラップ部１１ｃだけが閉じられていない通常の封筒形態にする。次いで、封筒１１の中に内容物１２を収容（封入）する。このとき、たとえばバーコードリーダーによりバーコード１１ｇから読み取ったＩＤ情報に基づいて、封筒１１の中に収容すべき内容物１２の整合性のチェック、すなわち封筒１１と内容物１２とのマッチングを行うことができる。
【００２１】
さらに、内容物１２が封入されたフラップ部１１ｃを折り畳んで、フラップ部１１ｃに対応する領域を所定の圧力で押圧することにより封入封緘工程を終了する。次いで、図３を参照すると、こうして第２実施形態にしたがって作成された送付体（１１，１２）は、その配送先に送付される。送付体（１１，１２）を受け取った配送先では、ハサミやカッターを使用することなく、すなわち封筒１１を破壊することなく、そのフラップ部１１ｃを剥がして容易に且つきれいに開封し、内容物１２を取り出すことができる。
【００２２】
さらに、第２実施形態では第１実施形態とは異なり、封筒１１の両端部１１ａを剥がすことにより、当初の展開状態まで封筒１１を容易に且つきれいに開封し、封筒１１の内側面に印刷された情報１１ｆを読むことができる。このとき、封筒１１の両端部１１ａにおいて感圧擬似接着層１１ｂの形成されていない領域からなる封筒１１の剥がし口を利用して、封筒１１を展開状態まで容易に開封することができる。
【００２３】
なお、第２実施形態では、上述したように、封筒１１の両端部１１ａには強接着部１１ｅが局所的に形成されているので、封筒１１を展開状態まで開封するのは容易であるが、送付中に封筒１１から内容物１２が脱漏するのを確実に回避することができる。また、第２実施形態では、上述したように、封筒１１のフラップ部１１ｃに可変データ識別用のバーコード１１ｇが印刷されているので、内容物１２の封入時にバーコード１１ｇを読み取り易く、内容物１２に印刷されているＩＤ情報とのマッチング作業を効率的に行うことができる。
【００２４】
【発明の効果】
以上説明したように、本発明では、簡素な構成にもかかわらず、容易に開封することができ、迅速に且つ確実に封緘することのできる、内容物を含む送付体の作成方法を実現することができる。
【図面の簡単な説明】
【図１】本発明の第１実施形態にかかる内容物を含む送付体の作成方法を説明する図である。
【図２】本発明の第２実施形態にかかる内容物を含む送付体の作成方法を説明する図であって、接着層の形成から内容物の封入までの手順を示している。
【図３】本発明の第２実施形態にかかる内容物を含む送付体の作成方法および開封方法を説明する図であって、封筒の封緘からその開封までの手順を示している。
【図４】従来技術において内容物を含む送付体を作成する方法を説明する図である。
【符号の説明】
１，１１  封筒
１ａ，１１ｃ  フラップ部
１ｂ，１１ｂ，１１ｄ  感圧擬似接着層（感圧性接着剤）
２，１２  内容物
３  加圧ロールユニット（圧着ロール）
１１ａ  封筒１１の両端部
１１ｅ  強接着部
１１ｆ  印刷情報
１１ｇ  バーコード
【図１】
0003922540.tif 000002
【図２】
0003922540.tif 000003
【図３】
0003922540.tif 000004
【図４】
0003922540.tif 000005